(57)【特許請求の範囲】
【請求項１】
先端部に凹所を有する本体と、収納周壁の上端に外向きのフランジ部が形成され前記本体に装着されて本体収納部を構成する中枠と、内向きフックを有する係合片を先端部に垂設し前記本体の後端部で回動自在に蝶着された蓋体と、前記フックと係合する外向きフック部が形成された係合孔を有し前記本体の凹所に前後方向移動可能に装着された押し釦と、を備えて成るコンパクト容器において、前記押し釦の裏面に前記係合孔を構成する枠部を設けると共に前記枠部の両側壁外側に一体に片持ちのバネ板部を前記押し釦の裏面に沿って突設したコンパクト容器において、前記押し釦の両側壁外方に係止突起を突設する共に前記中枠のフランジ部における先方部フランジに前記押し釦の幅よりも狭い幅の切欠凹所を設け、前記先方部フランジにおける両側方部下面に前記係止突起が抜け出し不能に摺動する係合部を設けたことを特徴とするコンパクト容器。
【発明の詳細な説明】
【０００１】
【発明の属する技術分野】
本発明は、コンパクト容器における押し釦を用いた蓋の係止解錠機構に関するものである。
【０００２】
【従来技術】
従来より、容器本体の後端部で回動自在に蝶着された蓋体の先端部にフックを垂設し、前記フックと係合するフックを有する押し釦を前後方向移動可能に前記容器本体の前方部内にバネで前方へ付勢して装着し、押し釦を押すことにより開蓋する蓋の係止解錠機構を備えたコンパクト容器は公知であり、ワンタッチで開閉できて使い易いことから多用されている。また、様々なデザインのコンパクト容器に対応して多様な蓋の係止解錠機構が提案されている。
【０００３】
この種のコンパクト容器に使用されているフック付きの押し釦には、押し釦が別に設けた金属バネで前方付勢されるものと、押し釦とバネが一体に形成されたものとがあり、押し釦の価格や組み付け易さにおいては、押し釦とバネの一体成形品が優れている。また、後者の押し釦におけるバネ部分が塑性変形し易いという弱点も合成樹脂材料の進歩により克服されつつある。
【０００４】
押し釦とバネが一体に形成されたものとしては、例えば、実開昭５７−１６１９０７号公報に図示されている押し釦のように、フックを立設した押し釦の後端に湾曲したバネ板部を一体に突設させたものや、実開昭６１−９６８０８号公報に図示されている押し釦のように、フックを立設した押し釦の両側方にバネ板部を突設したものがある。
【０００５】
これらの押し釦は、容器本体の前方部に配置され、前方部を覆う中枠によって抜け出し不能にして前後方向移動可能に収容されている。
【０００６】
【発明が解決しようとする課題】
しかしながら、後端にバネ板部を一体に突設したタイプの押し釦を用いた蓋の係止解錠機構のものは、容器本体の前方部における前後方向のデットスペースが大きくなって化粧料が収納できる有効スペースが小さくなる欠点を有しており、前後方向の寸法が小さいデザインの容器には採用できなかった。
【０００７】
また、両側方にバネ板部を一体に突設したタイプの押し釦を用いた蓋の係止解錠機構のものは、容器本体の前方部両側方にバネ板部の収容スペースを必要とすることから、押し釦の押圧部となる押し釦正面の横幅を広くすることができず、コンパクト容器における設計やデザイン上の制約が大きかった。
【０００８】
本発明は、上記の問題に鑑みてなされたもので、バネを一体形成した押し釦を用いて、容器内のデットスペースが少さく、デザインの自由度の大きな蓋の係止解錠機構を構成することにある。
【０００９】
【課題を解決するための手段】
本発明は、先端部に凹所を有する本体と、収納周壁の上端に外向きのフランジ部が形成され前記本体に装着されて本体収納部を構成する中枠と、内向きフックを有する係合片を先端部に垂設し前記本体の後端部で回動自在に蝶着された蓋体と、前記フックと係合する外向きフック部が形成された係合孔を有し前記本体の凹所に前後方向移動可能に装着された押し釦と、を備えて成るコンパクト容器において、前記押し釦の裏面に前記係合孔を構成する枠部を設けると共に前記枠部の両側壁外側に一体に片持ちのバネ板部を前記押し釦の面に沿って突設した。
【００１０】
上記の構成としたことにより、押し釦は、その裏面にバネ板部が収まった状態で本体に組み込まれている。従って、従来例のような、押し釦から突出するバネ板部を収容するために生ずる本体の前方部におけるデットスペースがなくなり、本体の化粧料を収納する為の有効スペースを大きく確保することができる。
【００１１】
また、前記押し釦の両側壁外方に係止突起を突設する共に前記中枠のフランジ部における先方部フランジに前記押し釦の幅よりも狭い幅の切欠凹所を設け、前記先方部フランジにおける両側方部下面に前記係止突起が抜け出し不能に摺動する係合部を設け、押し釦を収まりよく円滑に作動するように組み込むことが好ましい。
【００１２】
【発明の実施の形態】
以下、本発明のコンパクト容器の好適な実施の形態を添付図面を参照しながら詳細に説明する。
【００１３】
図１乃至図６は、本発明の実施の形態を示しており、先端部に凹所２を有する本体１と、収納周壁１１の上端に外向きのフランジ部１２が形成され前記本体１に装着されて本体収納部３を構成する中枠１０と、内向きフック２１を有する係合片２２を先端部に垂設し前記本体１の後端部（図示省略）で回動自在に蝶着された蓋体２０と、前記フック２１と係合する外向きフック部３１が形成された係合孔３２を有し前記本体１の凹所２に前後移動可能に装着された押し釦３０と、を備えて構成されている。
【００１４】
本体１は、後端部に蝶番部（図示省略）を有する上面開放の方形の函状に形成されており、先端部における凹所２の低い前壁４の内側には本体１の中心線を挟んで前壁４と同じ高さの一対の第１リブ５、５が立設され、その外側に前壁４よりも高い受面６ａ、６ａを有する第２リブ６、６が立設され、更にその外側に凹所２の両側壁を構成すると共にその上面が押し釦３０との係合部９、９を構成する第３リブ７、７が立設されている。
【００１５】
中枠１０は、上記本体１の内側に装着されて化粧料を入れる本体収納部３を構成するものであり、その先方部フランジ１３には、押し釦３０の幅よりも狭い幅の切欠凹所１４が設けられており、先方部フランジ１３は本体１の凹所２の上方に及んで押し釦３０の上方抜け出しを押さえ込むと共に、押し釦３０の係合孔３２を上方開放して蓋体２０の係合片２２の係合孔３２への挿脱を可能としている。
【００１６】
また、前記先方部フランジ１３における両側方部の下面には、ガイドリブ１６、１６が垂設されており、このガイドリブ１６、１６の下面と本体１における第３リブ７、７の上面とで押し釦３０の係止突起３６、３６を摺動可能に支持する係合部９、９を構成している。
【００１７】
また、中枠１０の収納周壁１１の深さ寸法は、本体１の深さ寸法よりも少なくとも大きく設定されており、中枠１０は、収納周壁１１の下端面に適宜間隔をおいて突設した超音波リブ１５により収納周壁１１の下端面において本体１の底板部９に超音波溶着されている。
【００１８】
蓋体２０は、本体１の上面を回動自在に覆合する浅い皿状に形成されており、その裏面に形成された枠２３内に化粧用鏡２４が両面接着テープ２５で貼着されている。
【００１９】
押し釦３０は、面板３３と、該面板３３の前方に垂下する前壁３４と、両側方に係止突起３６、３６が突設された両側壁３５、３５を有し、面板３３の裏面には係合孔３２を構成する枠部３７が設けられており、係合孔３２には前壁３４と対向する一側に外向きフック３１が形成されている。
【００２０】
また、枠部３７を構成する両側壁３７ａ、３７ａの外側には、一体に片持ちのバネ板部３８、３８が面板３３の裏面に沿って突設されており、このバネ板部３８、３８は僅かに後方へ反った形状となっている。
【００２１】
上記押し釦３０の組み付けは、本体１の凹所２に押し釦３０を戴置してから、中枠１０を本体１に嵌込んで、収納周壁１１の下面に突設した超音波リブ１５で本体１の底板部８と超音波溶着する。
【００２２】
組み付けられた押し釦３０は、バネ板部３８、３８の先端部が本体１における第２リブ６、６の受け面６ａ、６ａに弾接し、中枠１０のリブ１６、１６下面と本体１の第３リブ７、７の上面とで構成される係合部９、９で係止突起３６、３６を介して摺動可能に支持されると共に、係止突起３６、３６が本体１の高い前壁４ａ、４ａの裏面に当接して前方へ抜け出し不能とされており、前壁３４の前面が本体１の前面のほぼ全域に露出する。
【００２３】
本実施の形態は以上のように構成されており、開蓋状態から蓋体２０を閉めると、蓋体２０の係合片２２による押圧により押し釦３０のバネ板部３８、３８が撓んでフック２１とフック部３１とが係合する。また、押し釦３０の前壁３４前面をバネ圧に抗して押圧すると、バネ板部３８、３８が撓むと共に係止突起３６、３６で後方へ摺動して解錠する。
【００２４】
押し釦３０に一体形成されたバネ板部３８、３８が面板３３の裏面に位置していることから、従来、押し釦３０の収納スペースの他にバネ板部を収納するスペースを設ける為に生ずる本体１のデットスペースがなくなり、本体１の化粧料を収納する有効スペースが大きく確保される。
【００２５】
【発明の効果】
本発明は、以上説明したような形態で実施され、以下に記載されるような効果を奏する。
【００２６】
蓋の係止解錠機構を構成する押し釦の裏面に、係合孔を構成する枠部を設け、該枠部の両側壁に一体に片持ちのバネ板部を面板の裏面に沿って突設して、本体に組み込まれた押し釦の裏面にバネ板部が収まる構成としたので、従来、バネ板部を収容する為に生じていた本体のデットスペースがなくなり、本体の内部を化粧料の収納部としてフルに有効活用することができる。
【００２７】
また、押し釦を一体のバネ板付きとすると共に、押し釦の前壁前面を本体の前面のほぼ全域に露出させることを可能としたことから、押し釦を押し易くできると共に、安価にして設計やデザインの自由度を大きくすることができる。
【図面の簡単な説明】
【図１】本発明のコンパクト容器の実施の形態を示す要部の断面図。
【図２】図１のコンパクト容器の図３におけるＡ矢視方向を示す断面図。
【図３】図１のコンパクト容器の本体側を示す斜視図。
【図４】図３の分解斜視図。
【図５】本実施の形態における押し釦の裏面を示す斜視図。
【図６】本実施の形態における本体と押し釦との位置関係を示す説明図。
【符号の説明】
１  本体，２  凹所，３  本体収納部，９  係合部，１０  中枠，１１  収納周壁，１２  フランジ部，１３  先方部フランジ，１４  切欠凹所，２０  蓋体，２１  フック，２２  係合片，３０  押し釦，３１  フック部，３２  係合孔，３６  係止突起，３７  枠部，３７ａ、３７ａ  側壁，３８  バネ板部，
【図１】
0004739550.tif 000002
【図２】
0004739550.tif 000003
【図３】
0004739550.tif 000004
【図４】
0004739550.tif 000005
【図５】
0004739550.tif 000006
【図６】
0004739550.tif 000007